(57)【要約】  本発明の端末は、自己の端末の位置を示す位置情報を取得する位置情報取得手段と、自己の端末の前記位置情報を周囲の端末に送信すると共に、周囲の端末から、該周囲の端末の前記位置情報を受信する通信手段と、自己の端末を特定の端末に設定する制御手段と、を有し、前記通信手段は、自己の端末が前記特定の端末に設定されている状態では、自己および周囲の端末の前記位置情報をサーバに送信する。
2014024537.tif 000002
【特許請求の範囲】
【請求項１】
自己の端末の位置を示す位置情報を取得する位置情報取得手段と、
自己の端末の前記位置情報を周囲の端末に送信すると共に、周囲の端末から、該周囲の端末の前記位置情報を受信する通信手段と、
自己の端末を特定の端末に設定する制御手段と、を有し、
前記通信手段は、自己の端末が前記特定の端末に設定されている状態では、自己および周囲の端末の前記位置情報をサーバに送信する、端末。
【請求項２】
前記制御手段は、所定のタイミングで、自己の端末をランダムに前記特定の端末に設定する、請求項１に記載の端末。
【請求項３】
前記制御手段は、自己の端末を前記特定の端末に設定する確率が変更可能である、請求項２に記載の端末。
【請求項４】
前記通信手段は、自己の端末が前記特定の端末に設定されているか否かを示す設定情報を周囲の端末に送信すると共に、周囲の端末から、該周囲の端末の前記設定情報を受信し、
前記制御手段は、周囲の端末における前記特定の端末の設定状況に応じて、自己の端末を前記特定の端末に設定するか、または、自己の端末に対する前記特定の端末の設定を解除する、請求項１に記載の端末。
【請求項５】
前記制御手段は、
自己の端末を前記特定の端末に設定した場合、第１の時間が経過した時点で、周囲の端末のいずれかが前記特定の端末に設定されていれば、自己の端末に対する前記特定の端末の設定を解除し、周囲の端末のいずれもが前記特定の端末に設定されていなければ、さらに前記第１の時間が経過した時点で、再度、周囲の端末のいずれかが前記特定の端末に設定されているか否かを判断し、
自己の端末に対する前記特定の端末の設定を解除した場合、第２の時間が経過した時点で、周囲の端末のいずれもが前記特定の端末に設定されていなければ、自己の端末を前記特定の端末に設定し、周囲の端末のいずれかが前記特定の端末に設定されていれば、さらに前記第２の時間が経過した時点で、再度、周囲の端末のいずれもが前記特定の端末に設定されていないか否かを判断する、請求項４に記載の端末。
【請求項６】
前記制御手段は、前記第１の時間および前記第２の時間が変更可能である、請求項５に記載の端末。
【請求項７】
複数の端末と、サーバと、を有してなる通信システムであって、
前記複数の端末の各々は、
自己の端末の位置を示す位置情報を取得する位置情報取得手段と、
自己の端末の前記位置情報を周囲の端末に送信すると共に、周囲の端末から、該周囲の端末の前記位置情報を受信する通信手段と、
自己の端末を特定の端末に設定する制御手段と、を有し、
前記通信手段は、自己の端末が前記特定の端末に設定されている状態では、自己および周囲の端末の前記位置情報を前記サーバに送信する、通信システム。
【請求項８】
端末による通信方法であって、
自己の端末の位置を示す位置情報を取得し、
自己の端末の前記位置情報を周囲の端末に送信すると共に、周囲の端末から、該周囲の端末の前記位置情報を受信し、
自己の端末を特定の端末に設定し、
自己の端末が前記特定の端末に設定されている状態では、自己および周囲の端末の前記位置情報をサーバに送信する、通信方法。
【請求項９】
端末に、
自己の端末の位置を示す位置情報を取得する手順と、
自己の端末の前記位置情報を周囲の端末に送信すると共に、周囲の端末から、該周囲の端末の前記位置情報を受信する手順と、
自己の端末を特定の端末に設定する手順と、
自己の端末が前記特定の端末に設定されている状態では、自己および周囲の端末の前記位置情報をサーバに送信する手順と、を実行させるためのプログラム。
【発明の詳細な説明】
【技術分野】
【０００１】
本発明は、端末からサーバに位置情報を送信する技術に関する。
【背景技術】
【０００２】
近年、サーバが、車両に搭載された車載端末に対して情報を配信する通信システムが提案されている。【０００３】
この種の通信システムの中には、車載端末が、車載端末の位置情報をサーバに送信し、サーバが、車載端末の位置情報を用いて情報を配信するものがある。【０００４】
例えば、特許文献１には、サーバが、車載端末から受信した位置情報を用いて、車載端末の位置にて提供可能なサービスの一覧を配信する技術が記載されている。【０００５】
また、特許文献２には、サーバが、車載端末から受信した位置情報を用いて、車載端末の位置に適合するコンテンツを配信する技術が記載されている。
【先行技術文献】
【特許文献】
【０００６】
【特許文献１】特開２００３−３０８２１１号公報
【特許文献２】特開２０１１−１５９０３７号公報
【発明の概要】
【発明が解決しようとする課題】
【０００７】
しかし、特許文献１，２等に記載の通信システムにおいては、各車載端末が個々に位置情報をサーバに送信する場合、車両（すなわち、車載端末）の台数が増加するにしたがって、無線回線の帯域が圧迫されてしまうという課題がある。【０００８】
そこで、本発明の目的は、上述した課題を解決することができる技術を提供することにある。
【課題を解決するための手段】
【０００９】
本発明の端末は、
自己の端末の位置を示す位置情報を取得する位置情報取得手段と、
自己の端末の前記位置情報を周囲の端末に送信すると共に、周囲の端末から、該周囲の端末の前記位置情報を受信する通信手段と、
自己の端末を特定の端末に設定する制御手段と、を有し、
前記通信手段は、自己の端末が前記特定の端末に設定されている状態では、自己および周囲の端末の前記位置情報をサーバに送信する。【００１０】
本発明の通信システムは、
複数の端末と、サーバと、を有してなる通信システムであって、
前記複数の端末の各々は、
自己の端末の位置を示す位置情報を取得する位置情報取得手段と、
自己の端末の前記位置情報を周囲の端末に送信すると共に、周囲の端末から、該周囲の端末の前記位置情報を受信する通信手段と、
自己の端末を特定の端末に設定する制御手段と、を有し、
前記通信手段は、自己の端末が前記特定の端末に設定されている状態では、自己および周囲の端末の前記位置情報を前記サーバに送信する。【００１１】
本発明の通信方法は、
端末による通信方法であって、
自己の端末の位置を示す位置情報を取得し、
自己の端末の前記位置情報を周囲の端末に送信すると共に、周囲の端末から、該周囲の端末の前記位置情報を受信し、
自己の端末を特定の端末に設定し、
自己の端末が前記特定の端末に設定されている状態では、自己および周囲の端末の前記位置情報をサーバに送信する。【００１２】
本発明のプログラムは、
端末に、
自己の端末の位置を示す位置情報を取得する手順と、
自己の端末の前記位置情報を周囲の端末に送信すると共に、周囲の端末から、該周囲の端末の前記位置情報を受信する手順と、
自己の端末を特定の端末に設定する手順と、
自己の端末が前記特定の端末に設定されている状態では、自己および周囲の端末の前記位置情報をサーバに送信する手順と、を実行させる。
【発明の効果】
【００１３】
本発明によれば、端末の台数が増加したとしても、無線回線の帯域を圧迫する可能性を低減できるという効果が得られる。
【図面の簡単な説明】
【００１４】
【図１】本発明の通信システムの概要を説明する図である。
【図２】本発明の一実施形態の通信システムの構成を示す図である。
【図３】図１および図２に示した車載端末において、自己の車載端末をリーダに設定する場合の動作例２を説明するフローチャートである。
【発明を実施するための形態】
【００１５】
まず、本発明の概要を説明する。
【００１６】
図１に示すように、特許文献１，２等に記載の関連技術において、各車両１０に搭載された各車載端末２００が個々にサーバ３０に位置情報を送信する場合、上述したように、車両１０（すなわち、車載端末２００）の台数が増加するにしたがって、無線回線の帯域が圧迫されてしまうという課題がある。
【００１７】
ここで、通常、車車間通信では、各車載端末は、自己の車載端末の位置情報を周囲の車載端末に送信すると共に、周囲の車載端末から、周囲の車載端末の位置情報を受信している。
【００１８】
そこで、本発明においては、車載端末２０が周囲の車載端末２０の位置情報を受信することを利用し、リーダ（特定の端末）に設定された車載端末２０が、自己の車載端末２０の位置情報だけでなく、周囲の車載端末２０の位置情報も、サーバ３０に送信する。
【００１９】
すなわち、本発明においては、リーダに設定された車載端末２０のみが位置情報をサーバ３０に送信する。そのため、車両１０（すなわち、車載端末２０）の台数が増加したとしても、無線回線の帯域を圧迫する可能性を低減できるという効果が得られる。
【００２０】
続いて、本発明の具体的な実施形態を説明する。
【００２１】
図２に示すように、本実施形態の通信システムは、複数の車両１０（不図示）の各々に搭載された複数の車載端末２０と、サーバ３０と、を有している。
【００２２】
複数の車載端末２０の各々は、制御部２１と、位置情報取得部２２と、通信部２３と、入力部２４と、を有している。
【００２３】
制御部２１は、自己の車載端末２０内の構成要素を制御して各種の処理を行う。
【００２４】
例えば、制御部２１は、自己の車載端末２０をリーダに設定する。なお、制御部２１におけるリーダの設定方法の具体的な説明は後述する。
【００２５】
位置情報取得部２２は、自己の車載端末２０の位置を示す位置情報を取得する。位置情報は、例えば、ＧＰＳ（Global Positioning System）や準天頂衛星補足システムを利用して取得する。
【００２６】
通信部２３は、車車間通信を利用して、自己の車載端末２０の位置情報を周囲の車載端末２０に送信すると共に、周囲の車載端末２０から、周囲の車載端末２０の位置情報を受信する。
【００２７】
また、通信部２３は、自己の車載端末２０がリーダに設定されている状態では、位置情報取得部２２が取得した自己の車載端末２０の位置情報と、周囲の車載端末２０から受信した周囲の車載端末２０の位置情報と、をサーバ３０に送信する。
【００２８】
なお、通信部２３は、車載端末２０の位置情報を周囲の車載端末２０やサーバ３０に送信する際には、その位置情報に対応する車載端末２０の識別子を付加するものとする。
【００２９】
一方、通信部２３は、自己の車載端末２０がリーダに設定されていない状態では、位置情報取得部２２が取得した自己の車載端末２０の位置情報をサーバ３０に送信しない。
【００３０】
また、通信部２３は、サーバ３０から、自己の車載端末２０の位置情報に応じた情報（安全支援情報、広告、コンテンツ等）を受信する。
【００３１】
入力部２４は、外部から各種の指示が入力される。
【００３２】
なお、本実施形態においては、サーバ３０は、車載端末２０に対し、その車載端末２０の位置情報に応じた情報を配信する機能を備えていれば特に限定はない。
【００３３】
より具体的には、サーバ３０は、配信する情報を位置情報に対応付けて記憶する機能や、車載端末２０の位置情報を受信する機能や、受信した位置情報に付加された識別子を基に車載端末２０を特定する機能や、特定した車載端末２０に対し、その車載端末２０の位置情報に応じた情報を配信する機能等を備えていれば良い。
【００３４】
以下、車載端末２０において、自己の車載端末２０をリーダに設定する場合の２つの動作例を説明する。
（１）動作例１
本動作例１においては、制御部２１は、所定のタイミングで、自己の車載端末２０をランダムにリーダに設定する。
【００３５】
例えば、制御部２１は、自己の車両１０にエンジンをかけて、自己の車載端末２０がオンしたタイミングで、自己の車載端末２０をランダムにリーダに設定する。
【００３６】
ここで、制御部２１は、リーダに設定する確率を変更可能とする。
【００３７】
そのため、リーダになって欲しい車載端末２０については、リーダに設定する確率を高くすれば良い。
【００３８】
リーダになって欲しい車載端末２０の例としては、例えば、以下が考えられる。
・毎日走行する車両に搭載される車載端末
・商用車などの車両（マイカー以外の車両）に搭載される車載端末
・測位精度の高い準天頂衛星補足システムの機能を備える車載端末
この場合、例えば、リーダに設定する確率を高くする旨の指示を入力部２４を介して行い、この指示を基に、制御部２１が確率を変更することが考えられる。
【００３９】
なお、本動作例１においては、自己の車載端末２０をランダムにリーダに設定する。そのため、エリアや時間帯によっては、自己および周囲の車載端末２０の中に、リーダに設定された車載端末２０が存在しない状態になったり、リーダに設定された車載端末２０が複数存在する状態になったりする可能性がある。
【００４０】
そのため、例えば、制御部２１は、自己の車載端末２０の現在位置や現在時刻を基に、現在のエリアや時間帯を判断し、その判断結果を基に、リーダに設定する確率を変更することが考えられる。
（２）動作例２
本動作例２においては、制御部２１は、周囲の車載端末２０におけるリーダの設定状況に応じて、自己の車載端末２０をリーダに設定するか、または、自己の車載端末２０に対するリーダの設定を解除する。
【００４１】
これを実現するため、通信部２３は、車車間通信を利用して、自己の車載端末２０がリーダに設定されているか否かを示すリーダ設定情報（例えば、フラグ）を送信すると共に、周囲の車載端末２０から、周囲の車載端末２０のリーダ設定情報を受信する。なお、通信部２３は、車載端末２０のリーダ設定情報を周囲の車載端末２０に送信する際には、そのリーダ設定情報に対応する車載端末２０の識別子を付加するものとする。また、リーダ設定情報は、位置情報に付加して送信しても良いし、位置情報とは異なるタイミングで送信しても良い。
【００４２】
以下、本動作例２について、図３を参照して詳細に説明する。
【００４３】
図３に示すように、制御部２１は、まず、所定のタイミングで、自己の車載端末２０をリーダに設定する（ステップＳ１）。
【００４４】
例えば、制御部２１は、自己の車両１０にエンジンをかけて、自己の車載端末２０がオンしたタイミングで、自己の車載端末２０をリーダに設定する。
【００４５】
次に、制御部２１は、自己の車載端末２０をリーダに設定してから第１の時間が経過するのを待つ（ステップＳ２）。ただし、この間も、通信部２３は、周囲の車載端末２０との間でリーダ設定情報を送受信している。
【００４６】
次に、制御部２１は、第１の時間が経過した時点で、周囲の車載端末２０から受信したリーダ設定情報を基に、周囲の車載端末２０のいずれかがリーダに設定されているか否かを判断する（ステップＳ３）。
【００４７】
ステップＳ３において、周囲の車載端末２０のいずれかがリーダに設定されている場合（ステップＳ３のＹｅｓ）、自己の車載端末２０をリーダに設定したままにすると、自己および周囲の車載端末２０の中に、リーダに設定された車載端末２０が複数存在する状態が継続することになる。そのため、制御部２１は、自己の車載端末２０に対するリーダの設定を解除する（ステップＳ４）。
【００４８】
一方、ステップＳ３において、周囲の車載端末２０のいずれもがリーダに設定されていない場合（ステップＳ３のＮｏ）、自己の車載端末２０に対するリーダの設定を解除すると、自己および周囲の車載端末２０の中に、リーダに設定された車載端末２０が存在しない状態になる。そのため、制御部２１は、自己の車載端末２０をリーダに設定したまま、ステップＳ２の処理に戻り、さらに第１の時間が経過した時点で、ステップＳ３において、再度、周囲の車載端末２０のいずれかがリーダに設定されているか否かを判断する。
【００４９】
ステップＳ４において、自己の車載端末２０に対するリーダの設定を解除した場合、制御部２１は、リーダの設定を解除してから第２の時間が経過するのを待つ（ステップＳ５）。ただし、この間も、通信部２３は、周囲の車載端末２０との間でリーダ設定情報を送受信している。
【００５０】
次に、制御部２１は、第２の時間が経過した時点で、周囲の車載端末２０から受信したリーダ設定情報を基に、周囲の車載端末２０のいずれもがリーダに設定されていないか否かを判断する（ステップＳ６）。
【００５１】
ステップＳ６において、周囲の車載端末２０のいずれもがリーダに設定されていない場合（ステップＳ６のＹｅｓ）、自己の車載端末２０に対するリーダの設定を解除したままにすると、自己および周囲の車載端末２０の中に、リーダに設定された車載端末２０が存在しない状態が継続することになる。そのため、制御部２１は、ステップＳ１の処理に戻り、自己の車載端末２０をリーダに設定する。
【００５２】
一方、ステップＳ６において、周囲の車載端末２０のいずれかがリーダに設定されている場合（ステップＳ６のＮｏ）、自己の車載端末２０をリーダに設定すると、自己および周囲の車載端末２０の中に、リーダに設定された車載端末２０が複数存在する状態になる。そのため、制御部２１は、自己の車載端末２０に対するリーダの設定を解除したまま、ステップＳ５の処理に戻り、さらに第２の時間が経過した時点で、ステップＳ６において、再度、周囲の車載端末２０のいずれもがリーダに設定されていないか否かを判断する。
【００５３】
なお、本動作例２においては、複数の車載端末２０がリーダに設定されていても、これらの車載端末２０が、第１の時間経過後に、一斉にリーダの設定を解除してしまう可能性がある。また、リーダに設定されていない複数の車載端末２０が、第２の時間経過後に、一斉にリーダに設定してしまう可能性がある。
【００５４】
これを避けるため、制御部２１は、第１の時間および第２の時間を変更可能とする。
【００５５】
この場合、例えば、制御部２１は、第１の時間および第２の時間をランダムに決定し、決定した第１の時間および第２の時間に変更することが考えられる。
【００５６】
また、リーダになって欲しい車載端末２０については、リーダに設定する確率を高くするため、第１の時間を長くし、第２の時間を短くする。
【００５７】
この場合、例えば、第１の時間および第２の時間を変更する旨の指示を入力部２４を介して行い、この指示を基に、制御部２１が第１の時間および第２の時間を変更することが考えられる。
【００５８】
以上、実施形態を参照して本発明を説明したが、本発明は上記実施形態に限定されるものではない。本発明の構成や詳細には、本発明の範囲内で当業者が理解し得る様々な変更をすることができる。
【００５９】
例えば、上記実施形態においては、本発明の端末の例として、車載端末２０を例に挙げて説明したが、本発明はこれに限定されない。例えば、本発明は、基地局に設けられ、車載端末２０と車車間通信を行う端末に適用しても良い。このような基地局内の端末の場合、制御部２１は、自己の端末がオン時には、自己の端末を常にリーダに設定する。
【００６０】
また、本発明の端末にて行われる方法は、コンピュータに実行させるためのプログラムに適用しても良い。また、そのプログラムを記憶媒体に格納することも可能であり、ネットワークを介して外部に提供することも可能である。
【００６１】
本出願は、２０１２年８月６日に出願された日本出願特願２０１２−１７３８００を基礎とする優先権を主張し、その開示の全てをここに取り込む。
【図１】
2014024537.tif 000003
【図２】
2014024537.tif 000004
【図３】
2014024537.tif 000005
【国際調査報告】
2014024537.tif 000006
2014024537.tif 000007
2014024537.tif 000008
2014024537.tif 000009